(57)【要約】【課題】芳香等放出容器内への液体詰替えが容易な詰替え液体収納容器を提案する。【解決手段】弾性圧搾可能な容器体１にノズル付きキャップ４を嵌合させ、そのノズル先端に、芳香等放出容器が有する棒状吸上げ芯材取出し用の台部材８を取外し可能に付設した。【選択図】　図１
2004026248.tif 000002
【特許請求の範囲】
【請求項１】
弾性圧搾可能な胴部２を有し、かつ口頸部を起立する容器体１と、該容器体口頸部へ嵌合させた、ノズル付きキャップ４とからなり、
キャップ頂壁から起立させたノズル７の上部へ、吸上げ芯材嵌合用筒９を有する台部材８を取外し可能に付設した
ことを特徴とする詰替え液体収納容器。
【請求項２】
上記台部材８は、一端を嵌合用筒９内へ嵌合させて吸上げ芯材Ａ９を起立させた状態で、台部材８を平面上へ載置可能に形成した
ことを特長とする、請求項１記載の詰替え液体収納容器。
【請求項３】
上記台部材８を、台板１０の下面から嵌合用筒９を垂下させて形成し、
該嵌合用筒９を、ノズル７の上端部外面へ緊密に嵌合させた
ことを特徴とする、請求項１又は２記載の詰替え液体収納容器。
【請求項４】
上記台部材８を、台板１０から嵌合用筒９を起立させて形成し、
台板１０下面へ、ノズル７上端面を、破断用肉薄部１１を介して付設した
ことを特徴とする、請求項１又は２記載の詰替え液体収納容器。
【請求項５】
嵌合用筒９を弾性筒として、該弾性筒の対向部分へ、上面開口の割溝１２，１２　を縦設し、又これ等両割溝間の両筒壁部分１３，１３　の上部外面へ、それ等両筒壁部分上部を弾性変形させる把手板１４，１４　を付設した
ことを特徴とする、請求項４記載の詰替え液体収納容器。
【請求項６】
上記台部材８を、有頂かつ下面開口の筒体で形成して、該筒体上面から弾性の嵌合用筒９を起立させ、該嵌合用筒の対向部分へ、上面開口の割溝１２，１２　を穿設し、又これ等両割溝間の両筒壁部分１３，１３　の上部外面へ、それ等両筒壁部分上部を外方へ弾性変形させる把手板１４，１４　を付設して形成し、
上記筒体をノズル７外面へ螺合させた
ことを特徴とする、請求項１又は２記載の詰替え液体収納容器。
【発明の詳細な説明】
【０００１】
【発明の属する技術分野】
本発明は、芳香等、揮発性液体を収納させた詰替え液体容器に関する。
【０００２】
【従来の技術】
芳香等放出容器として多くのものが知られており、又その容器内液体が無くなった後、揮発性液体を補充するための詰替え液体収納容器、いわゆるるリフィル容器も広く用いられている。
【０００３】
【発明が解決しようとする課題】
芳香等放出容器として、容器体口部からガイド筒部材を垂下させると共に、そのガイド筒部材内へ液体吸上げ用の棒状の吸上げ芯材上部を挿通させて、吸上げ芯材上端部を液体揮発部としたものが知られているが、このような容器にあっては、液体詰替えの際、上記ガイド筒部材および吸上げ芯材の取外しが必要となる。それ等に埃等が付着すると液体吸上げが妨げられることとなって好ましくなく、従って埃等が付着しない状態を保つことが必要となる。又吸上げ芯材を台上等へ横倒しに載置すると、その台へ吸上げ芯材の液体が付着し、その臭いが取れず困ることがある。
【０００４】
本発明は、上記ガイド筒部材は芳香放出容器体に装着させたままで、又吸上げ芯材は、詰替え液体収納容器に付設した台部材利用により、吸上げ芯材を芳香等放出容器体内から抜出し、上記台部材を台座として吸上げ芯材を起立させることが可能とし、又詰替え液体収納容器体の口頸部に嵌合させたキャップから突出するノズルで、芳香等放出容器体内へ液体充填することが可能とするものである。
【０００５】
【課題を解決するための手段】
第１の手段として、弾性圧搾可能な胴部２を有し、かつ口頸部を起立する容器体１と、該容器体口頸部へ嵌合させた、ノズル付きキャップ４とからなり、
キャップ頂壁から起立させたノズル７の上部へ、吸上げ芯材嵌合用筒９を有する台部材８を取外し可能に付設した。
【０００６】
第２の手段として、上記第１の手段を有すると共に、上記台部材８は、一端を嵌合用筒９内へ嵌合させて吸上げ芯材Ａ９を起立させた状態で、台部材８を平面上へ載置可能に形成した。
【０００７】
第３の手段として、上記第１又は第２の手段を有すると共に、上記台部材８を、台板１０の下面から嵌合用筒９を垂下させて形成し、
該嵌合用筒９を、ノズル７の上端部外面へ緊密に嵌合させた。
【０００８】
第４の手段として、上記第１又は第２の手段を有すると共に、上記台部材８を、台板１０から嵌合用筒９を起立させて形成し、
台板１０下面へ、ノズル７上端面を、破断用肉薄部１１を介して付設した。
【０００９】
第５の手段として、上記第４の手段を有すると共に、嵌合用筒９を弾性筒として、該弾性筒の対向部分へ、上面開口の割溝１２，１２　を縦設し、又これ等両割溝間の両筒壁部分１３，１３　の上部外面へ、それ等両筒壁部分上部を弾性変形させる把手板１４，１４　を付設した。
【００１０】
第６の手段として、上記第１又は第２の手段を有すると共に、上記台部材８を、有頂かつ下面開口の筒体で形成して、該筒体上面から弾性の嵌合用筒９を起立させ、該嵌合用筒の対向部分へ、上面開口の割溝１２，１２　を穿設し、又これ等両割溝間の両筒壁部分１３，１３　の上部外面へ、それ等両筒壁部分上部を外方へ弾性変形させる把手板１４，１４　を付設して形成し、
上記筒体をノズル７外面へ螺合させた。
【００１１】
【発明の実施の形態】
以下図面について説明する。まず図１と図２とが示す第１実施形態について説明すると、１は弾性圧搾可能な胴部２を有する容器体で、肩部３を介して起立する口頸部外面に、キャップ４の頂壁外周から垂下する周壁５を螺合させており、その頂壁中央部は上方へ隆起させ、かつその隆起部６頂部からノズル７を上方へ起立させている。該容器体は省資源のため薄肉容器とし、コストも廉価としている。
【００１２】
そのノズル７上端部外面へは台部材８の嵌合用筒９を嵌合させている。該台部材は平板状の台板１０の中央部下面から嵌合用筒９を垂下するもので、その嵌合用筒９は後述の棒状吸上げ芯材の端部外面へ緊密に嵌合可能に形成している。尚上記ノズル上端部は雄ねじ筒に形成し、嵌合用筒９を雌ねじ筒として螺合させてもよい。その台板は浅皿状等であってもよい。
【００１３】
上記容器は、図３から図８が示すようにして使用することが出来る。
【００１４】
まず図３が示すように、補充液体収納用の芳香等放出容器体Ａ１からキャップを外す。該芳香等放出容器体は、胴部Ａ２上端から肩部Ａ３を介してキャップ螺合用の口頸部Ａ４を起立しており、その口頸部内には、ガイド筒部材Ａ５上端部を嵌着させ、下方筒部を容器体内へ垂下させている。その上端部は口頸部Ａ４の上部内面へ嵌合させたシール筒Ａ６上端に付設したフランジ外周部を口頸部Ａ４の上端面へ載置させ、又フランジ内周から下内方へ漏斗状壁Ａ７を垂下し、更に該漏斗状壁下端から抱持筒Ａ８を垂下し、該抱持筒Ａ８内へ棒状の吸上げ芯材Ａ９を挿通保持させて、その下端を容器体内底部まで垂下させると共にその上端をガイド筒部材Ａ５上面と同一高さまで起立させている。
【００１５】
次いで図２が示すように、ノズル７先端から外した台部材８の嵌合用筒９を、上記吸上げ芯材Ａ９の上端部外面へ嵌合させ、そのまま抜出して図４のように吸上げ芯材Ａ９を起立させて台板１０を机上面等へ載置させる。
【００１６】
次いで図５が示すように、詰替え液体収納容器体１を倒立させてノズル７を芳香等放出容器体Ａ１の抱持筒Ａ８内へ差込み、胴部２を圧搾させて液体詰替えをする。尚漏斗状壁Ａ７には小透孔が穿設させてあって、液体注入により加圧される容器体内空気の一部が容器体外方へ放出される。
【００１７】
芳香等放出容器体Ａ１内への液体注入終了後、図７が示すように台部材８を利用して吸上げ芯材Ａ９を再び抱持筒Ａ８内へ戻し、次いで図８のように台部材８を外し、吸湿マット１１付きのカバーＡ１０　を嵌合させ使用する。該図８の状態で容器体内液体は、吸上げ芯材Ａ９により吸上げられ、上端から吸湿マットＡ１１　に吸収され、カバーが有する放出孔Ａ１２　から放出される。
【００１８】
図９から図１２は第２実施形態を示す。該実施形態では図９が示すように、第１実施形態と同様に設けた容器体１の口頸部に、ノズル付きキャップ４を螺合させ、そのノズル上端を、平板状の台板１０の下面中央部へ、破断用肉薄部１１を介して付設し、その台板中央部から弾性の嵌合用筒９を起立し、その嵌合用筒の対向部分に、上面開口の割溝１２，１２　を縦設し、又それ等割溝間筒壁部分１３，１３　の外面から外方へ把手板１４，１４　を突出し、それ等両把手板を下方へ押下げすることで、把手板を有する筒壁部分が弾性に抗して外方へ開くよう設けている。
【００１９】
該実施形態の場合は、ノズル上端の破断用肉薄部１１を破断して台部材８を外し、次いで図１０が示すように嵌合用筒９を下向きとし、かつ把手板１４，１４　を上方へ押上げて割溝間筒壁部分１３，１３　を開き、図１１が示すように把手を離し、弾性復元した上記筒壁部分１３，１３　で吸上げ芯材Ａ９上端部を挟み、そのまま引出し図１２のように倒立させて台部材８で起立状態に保持させる。その後は図５から図８で述べたと同様、芳香等放出容器体Ａ１内へ液体を入れ、再び吸上げ芯材Ａ９を装着させる。
【００２０】
図１３と図１４とは第３実施形態を示す。該実施形態では、図１４が示すようにノズル７を短かく起立させ、かつ該ノズル上部を雄ねじ筒１５とし、該雄ねじ筒外面へ、図１３が示すように、上板外周から小径筒１６を垂下し、該小径筒下端から大径筒１７を垂下させて形成した筒状の台上部を螺合し、又上板上面中央から弾性の嵌合用筒９を起立させ、該弾性嵌合用筒９の対向部分に上面開口の割溝１２，１２　を穿設し、更にそれ等両割溝間の両筒壁部分１３，１３　の上端部外面から斜下外方へ把手板１４，１４　を垂下させている。尚既述大径筒１７は、キャップ頂壁の隆起部６外面へ嵌合させている。
【００２１】
該実施形態の場合の液体詰替えは、既述第２実施形態の場合とほぼ同様に行えばよい。
【００２２】
尚既述各実施形態において、各部材はすべて合成樹脂材で形成している。
【００２３】
【発明の効果】
本発明は既述構成とするもので、請求項１又は２記載のようにすることで、芳香等放出容器が有するガイド筒部材Ａ５は容器から取外しすることなく、吸上げ芯材Ａ９だけを、詰替え液体収納容器に付設した台部材８を利用して抜出し、起立させて液体詰替えを行うことが出来る便利がある。よって吸上げ芯材を載置させることでの台上等への芳香液体等の付着、又吸上げ芯材への埃付着を防止できる。
【００２４】
請求項３および４のようにすることで、台部材８の構成を簡易とすることが出来る。
【００２５】
請求項５および６のようにすることで、嵌合用筒９内径よりも多少吸上げ芯材Ａ９の外径が大であっても差支えなく、嵌合用筒９内へ吸上げ芯材Ａ９端部を確実に嵌合させることが出来る。
【図面の簡単な説明】
【図１】本発明容器の正面図である。
【図２】ノズルから台部材を外した状態を示す正面図である。
【図３】芳香放出容器の吸上げ芯材上端に本発明容器一部としての台部材を嵌合させた状態を示す断面図である。
【図４】図３の棒状吸上げ芯材を引抜き、台部材を利用して起立させた状態を示す断面図である。
【図５】芳香放出容器内への液体注入状態を示す断面図である。
【図６】液体注入終了時における芳香放出容器の断面図である。
【図７】芳香放出容器内に吸上げ芯材を再嵌合する状態を示す断面図である。
【図８】吸上げ芯材再嵌合状態で示す断面図である。
【図９】本発明容器を第２実施形態で示す半断面図である。
【図１０】図９の台部材で芳香等放出容器の棒状吸上げ芯材端部を挟持させる状態を示す断面図である。
【図１１】棒状吸上げ芯材引抜き状態を示す斜視図である。
【図１２】台部材を利用して棒状吸上げ芯材を起立させた状態を示す斜視図である。
【図１３】本発明を第３実施形態で示す正面図である。
【図１４】図１３から台部材を外した状態を示す正面図である。
【符号の説明】
４…キャップ　　　　　　　　　　　　７…ノズル
８…台部材　　　　　　　　　　　　　　　１０…台板
１４…把手板　　　　　　　　　　　　　　　　　　　　Ａ９…吸上げ芯材
【図１】
2004026248.tif 000003
【図２】
2004026248.tif 000004
【図３】
2004026248.tif 000005
【図４】
2004026248.tif 000006
【図５】
2004026248.tif 000007
【図６】
2004026248.tif 000008
【図７】
2004026248.tif 000009
【図８】
2004026248.tif 000010
【図９】
2004026248.tif 000011
【図１０】
2004026248.tif 000012
【図１１】
2004026248.tif 000013
【図１２】
2004026248.tif 000014
【図１３】
2004026248.tif 000015
【図１４】
2004026248.tif 000016